(57)【要約】【課題】  衛生面に優れた洗眼用ノズル及び洗眼液容器を提供する。【解決手段】  洗眼用ノズル１０は、基底部１２及び筒状部１４を備えており、容器本体部に取り付けられる。基底部１２は、容器本体部に固定される部分である。筒状部１４は、基底部１２に連設されている。この筒状部１４は、洗眼液を通過させる部分である。筒状部１４の先端部には、筒状部１４を通過した洗眼液を放出させる放出口１６が設けられている。【選択図】  図２
2016077543.tif 000002
【特許請求の範囲】
【請求項１】
洗眼液を収容する容器本体部に取り付けられる洗眼用ノズルであって、
前記容器本体部に固定される基底部と、
前記基底部に連設され、前記洗眼液を通過させる筒状部と、を備え、
前記筒状部の先端部には、当該筒状部を通過した前記洗眼液を放出させる放出口が設けられていることを特徴とする洗眼用ノズル。
【請求項２】
請求項１に記載の洗眼用ノズルにおいて、
前記放出口からの前記洗眼液の１回の放出量が０．０３ｍｌよりも多くなるように構成されている洗眼用ノズル。
【請求項３】
請求項２に記載の洗眼用ノズルにおいて、
前記放出口からの前記洗眼液の１回の放出量が０．１５ｍｌよりも多くなるように構成されている洗眼用ノズル。
【請求項４】
請求項１乃至３の何れかに記載の洗眼用ノズルにおいて、
前記容器本体部に対して着脱可能である洗眼用ノズル。
【請求項５】
請求項４に記載の洗眼用ノズルにおいて、
ペットボトル本体部に対して着脱可能である洗眼用ノズル。
【請求項６】
請求項５に記載の洗眼用ノズルにおいて、
前記基底部は、環状をしており、
当該基底部の内周面には、前記ペットボトル本体部の注ぎ口に形成された雄ねじに螺合する雌ねじが形成されている洗眼用ノズル。
【請求項７】
請求項１乃至６の何れかに記載の洗眼用ノズルにおいて、
前記筒状部は、前記放出口に向かうにつれて内径が小さくなるテーパ状をしている洗眼用ノズル。
【請求項８】
請求項１乃至７の何れかに記載の洗眼用ノズルにおいて、
前記放出口は、複数の穴部からなり、前記洗眼液をシャワー状に放出させる洗眼用ノズル。
【請求項９】
請求項８に記載の洗眼用ノズルにおいて、
前記複数の穴部は、１つの前記筒状部に連通している洗眼用ノズル。
【請求項１０】
請求項８又は９に記載の洗眼用ノズルにおいて、
前記放出口を構成する前記複数の穴部は、平面視で、直径１ｃｍの円形の領域内に収まるように設けられている洗眼用ノズル。
【請求項１１】
請求項１乃至１０の何れかに記載の洗眼用ノズルと、
前記洗眼用ノズルが取り付けられた前記容器本体部と、
を備えることを特徴とする洗眼液容器。
【請求項１２】
請求項１１に記載の洗眼液容器において、
前記容器本体部の容量は、５０ｍｌ以上である洗眼液容器。
【請求項１３】
請求項１１又は１２に記載の洗眼液容器において、
前記容器本体部は、対向する側面どうしが触れ合うまで弾性変形可能である洗眼液容器。
【請求項１４】
請求項１１乃至１３の何れかに記載の洗眼液容器において、
前記容器本体部は、高さ方向に収縮可能である洗眼液容器。
【請求項１５】
請求項１４に記載の洗眼液容器において、
前記容器本体部の側面の少なくとも一部分は、蛇腹状をしている洗眼液容器。
【請求項１６】
請求項１４又は１５に記載の洗眼液容器において、
前記容器本体部は、収縮していない状態での高さを１としたとき、最も収縮した状態での高さは０．５以下である洗眼液容器。
【請求項１７】
請求項１１乃至１６の何れかに記載の洗眼液容器において、
前記容器本体部を押圧することにより、前記洗眼用ノズルの前記放出口から３ｃｍ以上の高さまで前記洗眼液が放出するように構成されている洗眼液容器。
【発明の詳細な説明】
【技術分野】
【０００１】
本発明は、人又は動物の眼の洗浄に用いられる洗眼用ノズル及び洗眼液容器に関する。
【背景技術】
【０００２】
特許文献１には、洗眼液で眼を洗浄するための容器が記載されている。同文献に記載された容器は、弾性変形可能な材料からなるカップ状の容器であり、眼の周囲に密接する形状の縁部を有している。
【０００３】
眼を洗浄する際は、容器に洗眼液を注ぎ入れた後、顔を下に向けて当該容器の縁部を眼の周囲に密接させる。その状態のまま容器の一部を圧搾することにより、容器内の洗眼液を撹拌しつつ、当該洗眼液で眼を洗浄することができる。あるいは、容器の縁部を眼の周囲に密接させた後、顔を上に向けて瞬きを繰り返すことによっても、眼の洗浄を行うことができる。
【先行技術文献】
【特許文献】
【０００４】
【特許文献１】特開２０１４−１３３０２５号公報
【発明の概要】
【発明が解決しようとする課題】
【０００５】
しかしながら、特許文献１に記載の容器を用いて眼を洗浄する場合、眼の周辺部が容器で覆われるため、当該周辺部に触れた洗眼液が容器内に戻ることになる。このように眼の周辺部に触れた洗眼液で眼を洗浄することは、不衛生である。場合によっては、眼の周辺部に付着していた異物（まつげ、化粧品、埃、花粉等）が眼に入ってしまうおそれもある。
【０００６】
本発明は、上記課題に鑑みてなされたものであり、衛生面に優れた洗眼用ノズル及び洗眼液容器を提供することを目的とする。
【課題を解決するための手段】
【０００７】
本発明による洗眼用ノズルは、洗眼液を収容する容器本体部に取り付けられる洗眼用ノズルであって、上記容器本体部に固定される基底部と、上記基底部に連設され、上記洗眼液を通過させる筒状部と、を備え、上記筒状部の先端部には、当該筒状部を通過した上記洗眼液を放出させる放出口が設けられていることを特徴とする。
【０００８】
この洗眼用ノズルにおいては、筒状部の先端部に、洗眼液を放出させる放出口が設けられている。この放出口から眼に向けて洗眼液を放出させることにより、眼を洗浄することができる。このため、眼の周辺部に触れた洗眼液で眼を洗浄する事態を回避することができる。
【０００９】
また、本発明による洗眼液容器は、上記洗眼用ノズルと、上記洗眼用ノズルが取り付けられた上記容器本体部と、を備えることを特徴とする。
【００１０】
この洗眼液容器においては、上述の洗眼用ノズルが設けられている。したがって、当該洗眼用ノズルの放出口から目に向けて洗眼液を放出させることにより、眼を洗浄することができる。このため、眼の周辺部に触れた洗眼液で眼を洗浄する事態を回避することができる。
【発明の効果】
【００１１】
本発明によれば、衛生面に優れた洗眼用ノズル及び洗眼液容器が実現される。
【図面の簡単な説明】
【００１２】
【図１】本発明による洗眼液容器の第１実施形態を示す斜視図である。
【図２】容器本体部２０から取り外された状態の洗眼用ノズル１０を示す斜視図である。
【図３】図２のIII−III線に沿った端面図である。
【図４】洗眼用ノズル１０が取り外された状態の容器本体部２０を示す斜視図である。
【図５】図１の洗眼液容器において洗眼液３０が放出する様子を示す正面図である。
【図６】図１の洗眼液容器の使用方法を説明するための図である。
【図７】図１の洗眼液容器の使用方法を説明するための図である。
【図８】図１の洗眼液容器の使用方法を説明するための図である。
【図９】本発明による洗眼液容器の第２実施形態を示す斜視図である。
【図１０】本発明による洗眼液容器の第３実施形態を示す斜視図である。
【図１１】容器本体部２０から取り外された状態の洗眼用ノズル５０を示す斜視図である。
【図１２】図１１のXII−XII線に沿った端面図である。
【図１３】図１１の洗眼用ノズル５０における放出口５６を示す平面図である。
【発明を実施するための形態】
【００１３】
以下、図面を参照しつつ、本発明の実施形態について詳細に説明する。なお、図面の説明においては、同一要素には同一符号を付し、重複する説明を省略する。
（第１実施形態）
【００１４】
図１は、本発明による洗眼液容器の第１実施形態を示す斜視図である。洗眼液容器１は、洗眼用ノズル１０及び容器本体部２０を備えている。容器本体部２０には、洗眼液３０が収容されている。容器本体部２０の容量は、５０ｍｌ以上であることが好ましい。洗眼液容器１は、人又は動物の眼を洗眼液３０で洗浄する際に用いられる。
【００１５】
洗眼用ノズル１０は、容器本体部２０に取り付けられている。この洗眼用ノズル１０は、容器本体部２０に対して着脱可能である。ここで、着脱可能とは、洗眼液容器１を損傷したり、道具を用いたりすることなく、容器本体部２０に対する洗眼用ノズル１０の取り付け及び取り外しを容易に行えるということである。
【００１６】
図２は、容器本体部２０から取り外された状態の洗眼用ノズル１０を示す斜視図である。また、図３は、図２のIII−III線に沿った端面図である。洗眼用ノズル１０は、基底部１２及び筒状部１４を備えている。基底部１２は、容器本体部２０に固定される部分である。基底部１２は、環状をしている。基底部１２の内周面には、雌ねじ（図示せず）が形成されている。この雌ねじは、後述する容器本体部２０の注ぎ口２２に形成された雄ねじに螺合するように形成されている。
【００１７】
筒状部１４は、基底部１２に連設されている。詳細には、筒状部１４は、基底部１２から上方に向かって延出している。この筒状部１４は、洗眼液３０を通過させる部分である。筒状部１４の先端部には、筒状部１４を通過した洗眼液３０を放出させる放出口１６が設けられている。筒状部１４は、放出口１６に向かうにつれて内径が小さくなるテーパ状をしている。洗眼用ノズル１０の材料としては、例えば、ポリエチレン、ポリプロピレンその他の熱可塑性樹脂を用いることができる。なお、洗眼用ノズル１０には、放出口１６を覆うキャップが設けられていてもよい。
【００１８】
図４は、洗眼用ノズル１０が取り外された状態の容器本体部２０を示す斜視図である。容器本体部２０の注ぎ口２２の外周面には、雄ねじが形成されている。この雄ねじに基底部１２の雌ねじを螺合させることにより、容器本体部２０に洗眼用ノズル１０を取り付けることができる。本実施形態において注ぎ口２２の形状及び大きさは、一般的な飲料用のペットボトル本体部の注ぎ口の形状及び大きさに等しい。それゆえ、洗眼用ノズル１０は、かかるペットボトル本体部に対しても着脱可能である。なお、容器本体部２０の断面形状（注ぎ口２２以外の部分における、鉛直方向に垂直な断面の形状）は、任意であり、例えば、円形、楕円形、矩形、扁平形等が考えられる。
【００１９】
容器本体部２０は、柔軟性及び弾力性の高い材料からなり、弾性変形可能である。容器本体部２０は、対向する側面どうしが触れ合うまで弾性変形可能であることが好ましい。すなわち、対向する側面どうしが触れ合うまで手で力を加えても、手を離すと容器本体部２０の形状が元に戻ることが好ましい。容器本体部２０の材料としては、例えば、シリコン樹脂、低密度ポリエチレン等を用いることができる。
【００２０】
このように容器本体部２０は弾性変形可能であるため、容器本体部２０を押圧することにより、洗眼液３０を洗眼用ノズル１０の放出口１６から放出させることができる。このとき、図５に示すように、洗眼用ノズル１０を上に向けた状態で、放出口１６から３ｃｍ以上の高さまで洗眼液３０が放出することが好ましい。すなわち、同図において、放出した洗眼液３０の最高到達点の放出口１６からの高さｈ１が３ｃｍ以上であることが好ましい。また、放出口１６からの洗眼液３０の１回の放出量は、０．０３ｍｌよりも多いことが好ましく、０．１５ｍｌよりも多いことがより好ましい。ここで、１回の放出量とは、１回の押圧で放出する洗眼液３０の量をいう。
【００２１】
本実施形態の効果を説明する。洗眼液容器１においては、洗眼用ノズル１０が設けられている。洗眼用ノズル１０においては、筒状部１４の先端部に、洗眼液３０を放出させる放出口１６が設けられている。放出口１６から眼に向けて洗眼液３０を放出させることにより、眼を洗浄することができる。このため、眼の周辺部に触れた洗眼液で眼を洗浄する事態を回避することができる。したがって、衛生面に優れた洗眼用ノズル１０及び洗眼液容器１が実現されている。
【００２２】
これに対し、特許文献１に記載された容器の場合、眼及びその周辺部に触れた洗眼液が容器内に戻ること、並びに容器の縁部が顔（眼の周囲）に接触した状態で使用されることから、衛生面で問題がある。しかも、使用する度に容器を洗浄しなければならないため、煩雑である。この点、本実施形態によれば、一旦放出された洗眼液３０が洗眼用ノズル１０内や容器本体部２０内に戻るのを防ぐことができるとともに、洗眼用ノズル１０を顔から離した状態で洗眼液容器１を使用することができる。このため、洗眼用ノズル１０及び洗眼液容器１は、使用する度に洗浄しなくても、衛生的に使用することができる。
【００２３】
容器本体部２０は、弾性変形可能である。このため、容器本体部２０を手で押圧することにより、洗眼液３０を容易に放出させることができる。また、押圧する力の強さを変えることにより、洗眼液３０の放出の程度を調整することができる。例えば、比較的弱い力で押圧することにより、図６に示すように、雫状の洗眼液３０を眼９０に滴下させることができる。あるいは、比較的強い力で押圧することにより、図７に示すように、連続的に流れる洗眼液３０を眼９０に噴射させることができる。
【００２４】
対向する側面どうしが触れ合うまで容器本体部２０が弾性変形可能である場合、押圧により容器本体部２０を大きく歪ませることができる。このように容器本体部２０を大きく歪ませることにより、放出口１６から洗眼液３０を勢いよく放出させ、眼の洗浄効果を高めることができる。
【００２５】
筒状部１４は、放出口１６に向かうにつれて内径が小さくなるテーパ状をしている。かかる構造もまた、放出口１６から洗眼液３０を勢いよく放出させるのに適している。
【００２６】
容器本体部２０を押圧することにより、洗眼用ノズル１０の放出口１６から３ｃｍ以上の高さまで洗眼液３０が放出するように構成されている場合、洗眼用ノズル１０を上に向けたままでも、洗眼液容器１を好適に使用することができる。すなわち、図８に示すように、顔を下に向けた状態で、洗眼液３０を眼９０に下から噴射させることによっても、眼９０を洗浄することができる。このような使い方が可能な洗眼液容器１は、首を痛めている等の理由により顔を上に向ける動作に難があるユーザにとって、特に有用である。
【００２７】
洗眼液３０による眼の洗浄効果を充分に得るためには、比較的多量の洗眼液３０が放出口１６から放出されることが好ましい。かかる観点から、放出口１６からの洗眼液３０の１回の放出量は、０．０３ｍｌよりも多いことが好ましく、０．１５ｍｌよりも多いことがより好ましい。
【００２８】
洗眼用ノズル１０は、容器本体部２０に対して着脱可能である。このため、洗眼用ノズル１０を取り外すことにより、容器本体部２０に洗眼液３０を容易に補充することができる。このように洗眼液３０を補充することにより、洗眼用ノズル１０及び容器本体部２０を繰り返し使用することができるので、経済的である。
【００２９】
洗眼用ノズル１０は、ペットボトル本体部に対して着脱可能である。このため、容器本体部２０の代わりに、ペットボトル本体部を用いることも可能である。例えば、緊急時、水が入ったペットボトル本体部に洗眼用ノズル１０を取り付けることにより、放出口１６から水を放出させて眼を洗浄することもできる。
【００３０】
基底部１２の内周面には、容器本体部２０の注ぎ口２２及びペットボトル本体部の注ぎ口の雄ねじに螺合する雌ねじが形成されている。これにより、簡易な構成で、容器本体部２０及びペットボトル本体部に対して着脱可能な洗眼用ノズル１０を実現することができる。
（第２実施形態）
【００３１】
図９は、本発明による洗眼液容器の第２実施形態を示す斜視図である。洗眼液容器２は、洗眼用ノズル１０及び容器本体部４０を備えている。洗眼用ノズル１０の構成は、第１実施形態で説明したとおりである。本実施形態において洗眼用ノズル１０は、容器本体部４０に取り付けられている。容器本体部４０には、洗眼液３０（図９においては図示を省略）が収容されている。
【００３２】
容器本体部４０は、側面の少なくとも一部分が蛇腹状をしている。これにより、容器本体部４０は、高さ方向に収縮可能である。容器本体部４０は、収縮していない状態での高さを１としたとき、最も収縮した状態での高さは０．５以下であることが好ましい。容器本体部４０のその他の構成は、上述した容器本体部２０と同様である。
【００３３】
本実施形態の効果を説明する。容器本体部４０は、高さ方向に収縮可能である。このため、容器本体部４０の底面を手で押圧し、容器本体部４０を高さ方向に収縮させることにより、洗眼液３０を容易に放出させることができる。また、押圧する力の強さを変えることにより、洗眼液３０の放出の程度を調整することができる（図６及び図７参照）。
【００３４】
容器本体部４０の側面の少なくとも一部分は、蛇腹状をしている。これにより、簡易な構成で、高さ方向に収縮可能な容器本体部４０を実現することができる。
【００３５】
容器本体部４０を高さ方向に大きく収縮させることにより、洗眼液３０を勢いよく放出させ、眼の洗浄効果を高めることができる。かかる観点から、収縮していない状態での容器本体部４０の高さを１としたとき、最も収縮した状態での容器本体部４０の高さは０．５以下であることが好ましい。洗眼液容器２のその他の効果は、第１実施形態で説明したとおりである。
（第３実施形態）
【００３６】
図１０は、本発明による洗眼液容器の第３実施形態を示す斜視図である。洗眼液容器３は、洗眼用ノズル５０及び容器本体部２０を備えている。容器本体部２０の構成は、第１実施形態で説明したとおりである。洗眼用ノズル５０は、容器本体部２０に取り付けられている。
【００３７】
図１１は、容器本体部２０から取り外された状態の洗眼用ノズル５０を示す斜視図である。また、図１２は、図１１のXII−XII線に沿った端面図である。洗眼用ノズル５０は、基底部５２及び筒状部５４を備えている。基底部５２の構成は、上述した基底部１２と同様である。筒状部５４の先端部には、筒状部５４を通過した洗眼液３０を放出させる放出口５６が設けられている。
【００３８】
放出口５６は、複数の穴部５８からなり、洗眼液３０をシャワー状に放出させる。本実施形態においては、５つの穴部５８が設けられている。これらの穴部５８は、図１２からわかるように、１つの筒状部５４に連通している。また、これらの穴部５８は、平面視で、直径１ｃｍの円形の領域内に収まるように設けられている。すなわち、図１３の平面図に示すように、放出口５６を構成する全ての穴部５８を内包し得る最小の円Ｃ１を考えたとき、円Ｃ１の直径は１ｃｍ以下である。
【００３９】
本実施形態の効果を説明する。洗眼用ノズル５０の放出口５６は、複数の穴部５８からなり、洗眼液３０をシャワー状に放出させる。これにより、眼の広範囲を一度に洗浄することができる。
【００４０】
複数の穴部５８は、１つの筒状部５４に連通している。これにより、比較的広い流路（筒状部５４）を通過した洗眼液３０が比較的狭い穴部５８から一気に放出することになる。したがって、かかる構造は、洗眼液３０をシャワー状に勢いよく放出させるのに適している。
【００４１】
放出口５６を構成する複数の穴部５８は、平面視で、直径１ｃｍの円形の領域内に収まるように設けられている。これにより、シャワー状に放出した洗眼液３０が横方向に必要以上に広がるのを抑制することができる。したがって、眼以外の部位に洗眼液３０が掛かるのを防ぐことができる。洗眼液容器３のその他の効果は、第１実施形態で説明したとおりである。
【００４２】
本発明による洗眼用ノズル及び洗眼液容器は、上記実施形態に限定されるものではなく、様々な変形が可能である。上記実施形態においては、容器本体部に対して着脱可能な洗眼用ノズルを例示した。しかし、洗眼用ノズルは、容器本体部に対して着脱不能に取り付けられていてもよい。
【００４３】
上記実施形態においては、放出口に向かうにつれて内径が小さくなるテーパ状の筒状部を例示した。しかし、筒状部は、放出口に向かうにつれて内径が大きくなるテーパ状をしていてもよいし、内径が略一定の円筒状をしていてもよい。
【符号の説明】
【００４４】
１  洗眼液容器
２  洗眼液容器
３  洗眼液容器
１０  洗眼用ノズル
１２  基底部
１４  筒状部
１６  放出口
２０  容器本体部
２２  注ぎ口
３０  洗眼液
４０  容器本体部
５０  洗眼用ノズル
５２  基底部
５４  筒状部
５６  放出口
５８  穴部
９０  眼
【図１】
2016077543.tif 000003
【図２】
2016077543.tif 000004
【図３】
2016077543.tif 000005
【図４】
2016077543.tif 000006
【図５】
2016077543.tif 000007
【図６】
2016077543.tif 000008
【図７】
2016077543.tif 000009
【図８】
2016077543.tif 000010
【図９】
2016077543.tif 000011
【図１０】
2016077543.tif 000012
【図１１】
2016077543.tif 000013
【図１２】
2016077543.tif 000014
【図１３】
2016077543.tif 000015